(57)【要約】      （修正有）【課題】フィルムの中央部分を挟む位置にある両端の代部の廃棄を少なくし、フィルムの歩留まりを向上させることができる絵付け装置を提供する。【解決手段】第一チャンバ部材２の開口端面をなす第一フランジ２１と第二チャンバ部材３の開口端面をなす第二フランジ３１とを突き合わせることによって閉じられた作業室を形成すると共に、第一フランジと第二フランジとの間にフィルムを介在させることによって、作業室を第一チャンバ部材側となる第一室と、第二チャンバ部材側となる第二室との二つに仕切り、作業室に存する空気を吸引した後、第二室の内圧を第一室に対して正圧にすることによって、第一チャンバ部材内に配されたワークにフィルムを被覆させる絵付け装置において、第一フランジを第一チャンバ部材に対して着脱自在し、且つ、第二フランジを第二チャンバ部材に対して着脱自在とし、ワークの嵩に応じて交換可能とする。【選択図】図１
0003203881.tif 000002
【実用新案登録請求の範囲】
【請求項１】
開口部を有する第一チャンバ部材と、開口部を有する第二チャンバ部材と、を具備してなり、前記第一チャンバ部材の開口端面をなす第一フランジと前記第二チャンバ部材の開口端面をなす第二フランジとを突き合わせることによって閉じられた作業室を形成すると共に、前記第一フランジと前記第二フランジとの間にフィルムを介在させることによって、前記作業室を前記第一チャンバ部材側となる第一室と、前記第二チャンバ部材側となる第二室との二つに仕切り、前記作業室に存する空気を吸引した後、前記第二室の内圧を前記第一室の内圧に対して正圧にすることによって、前記第一チャンバ部材内に配されたワークに前記フィルムを被覆させる絵付け装置であって、
前記第一フランジが前記第一チャンバ部材に対して着脱自在となされ、且つ、前記第二フランジが前記第二チャンバ部材に対して着脱自在となされたことを特徴とする絵付け装置。
【請求項２】
請求項１に記載の絵付け装置において、
前記ワークの嵩に応じて、前記第一チャンバ部材及び前記第二チャンバ部材の開口面積が選択可能となるように、
開口面積の異なる複数の第一フランジを備えた第一フランジセットと、
開口面積の異なる複数の第二フランジを備えた第二フランジセットと、
を具備してなる絵付装置。
【請求項３】
請求項１又は２に記載の絵付け装置において、
前記第一フランジにおける前記第一チャンバ部材の開口端面をなす側の面、又は、前記第二フランジにおける前記第二チャンバ部材の開口端面をなす側の面に、
環状のシール部材が、開口部の周囲に沿って設けられてなる絵付装置。
【考案の詳細な説明】
【技術分野】
【０００１】
本考案は、ワークにフィルムを被覆する絵付け装置に関する。
【背景技術】
【０００２】
従来、家電製品、化粧品容器、装飾品などの種々の立体形状をしたワークに絵柄や文字などの模様を付与するにあたり、熱転写装置等の絵付け装置が利用されている（例えば、下記特許文献１参照）。
【先行技術文献】
【特許文献】
【０００３】
【特許文献１】特開２０１１‐１２６２６３号公報
【考案の概要】
【考案が解決しようとする課題】
【０００４】
上記特許文献１に開示された絵付け装置（熱転写装置）を用いてワークにフィルムを被覆するにあたっては、まず、二つのチャンバ部材（以下、「第一チャンバ部材」及び「第二チャンバ部材」と称する。）の開口端縁同士を突き合わせることによって、閉じられた空間（以下、「作業室」と称する。）を形成すると共に、前記第一チャンバ部材と前記第二チャンバ部材との間に前記フィルムを張設することによって、前記作業室を、前記第一チャンバ部材側の空間（以下、「第一室」と称する。）と、前記第二チャンバ部材側の空間（以下、「第二室」と称する。）と、に仕切る。
【０００５】
そして、この状態下、前記作業室に存する空気を吸引した後、前記第二室の内圧を前記第一室の内圧に対して正圧にすれば、前記第一チャンバ部材内に配された前記ワークに前記フィルムを被覆することができる。
【０００６】
ところで、この種の絵付け装置を用いた絵付けにおいて、ワークに被覆されるフィルムは、第一チャンバ部材と第二チャンバ部材との間に張設された前記フィルムの中央部分のみであり、張設された前記フィルムの中央部分を挟む位置に存する両端の代部は、前記ワークに被覆されることなく廃棄される。
【０００７】
絵付けに供されるワークの嵩は様々であり、張設されたフィルムの面積に対して、ワークの嵩が小さくなればなるほど、廃棄されるフィルムの量が多くなる。
【０００８】
本考案は、前記技術的課題に鑑みて完成されたものであり、フィルムの歩留まりを向上させることができる新規な絵付け装置を提供することを目的とする。
【課題を解決するための手段】
【０００９】
前記技術的課題を解決する本考案の絵付け方法は、開口部を有する第一チャンバ部材と、開口部を有する第二チャンバ部材と、を具備してなり、前記第一チャンバ部材の開口端面をなす第一フランジと前記第二チャンバ部材の開口端面をなす第二フランジとを突き合わせることによって閉じられた作業室を形成すると共に、前記第一フランジと前記第二フランジとの間にフィルムを介在させることによって、前記作業室を前記第一チャンバ部材側となる第一室と、前記第二チャンバ部材側となる第二室との二つに仕切り、前記作業室に存する空気を吸引した後、前記第二室の内圧を前記第一室の内圧に対して正圧にすることによって、前記第一チャンバ部材内に配されたワークに前記フィルムを被覆させる絵付け装置であって、前記第一フランジが前記第一チャンバ部材に対して着脱自在となされ、且つ、前記第二フランジが前記第二チャンバ部材に対して着脱自在となされたことを特徴とする（以下、「本考案装置」と称する。）。
【００１０】
本考案装置においては、前記ワークの嵩に応じて、前記第一チャンバ部材及び前記第二チャンバ部材の開口面積が選択可能となるように、開口面積の異なる複数の第一フランジを備えた第一フランジセットと、開口面積の異なる複数の第二フランジを備えた第二フランジセットと、を具備してなるものが好ましい態様となる。
【００１１】
本考案装置においては、前記第一フランジにおける前記第一チャンバ部材の開口端面をなす側の面、又は、前記第二フランジにおける前記第二チャンバ部材の開口端面をなす側の面に、環状のシール部材が、開口部の周囲に沿って設けられてなるものが好ましい態様となる。
【考案の効果】
【００１２】
本考案によれば、フィルムの歩留まりを向上させることができる。
【図面の簡単な説明】
【００１３】
【図１】図１は、本考案装置を示す断面図である。
【図２】図２（ａ）は、第二フランジを示す斜視図であり、図２（ｂ）は、第一フランジを示す斜視図である。
【図３】図３は、フィルムを示す断面図である。
【図４】図４（ａ）、（ｂ）は、作業室形成工程を示す断面図である。
【図５】図５は、吸引工程を示す断面図である。
【図６】図６は、ワークをフィルムに接触させた状態を示す断面図である。
【図７】図７は、被覆工程を示す断面図である。
【図８】図８は、別の第一フランジ、及び、別の第二フランジを取り付けた本考案装置を示す断面図である。
【考案を実施するための形態】
【００１４】
以下、本考案を実施するための形態を図面に基づいて説明するが、本考案はこの実施形態に限定されるものではない。
【００１５】
＜本考案装置１＞
図１に、本考案装置１の一態様を示す。この本考案装置１は、第一チャンバ部材２と、第二チャンバ部材３と、吸引装置４と、蒸気供給装置５と、を具備する。
【００１６】
‐第一チャンバ部材２‐
前記第一チャンバ部材２は、上側に向かって開口する箱部材である。前記第一チャンバ部材２は、例えば、鉄やアルミニウムなどの金属材料や、炭素繊維強化プラスチックなどのプラスチック材料を素材として形成される。
【００１７】
前記第一チャンバ部材２には、前記第一チャンバ部材２の開口端面をなす第一フランジ２１が設けられている。図２（ｂ）に示すように、前記第一フランジ２１は、中央部に開口部（以下、「第一開口部」と称する。）２２が設けられた平板状の部材である。
【００１８】
前記第一フランジ２１の四隅には、ネジ穴Ｔが設けられており、前記第一フランジ２１は、図示しないボルトを介して、前記第一チャンバ部材２に対して取り付けられ得る仕組みとなされている。即ち、前記第一フランジ２１は、前記第一チャンバ部材２に対して着脱自在となされている。
【００１９】
なお、本実施形態においては、前記第一チャンバ部材２と前記第一フランジ２１との合わせ面間にシールパッキンＰ１を介在させることによって、前記第一チャンバ部材２と前記第一フランジ２１との合わせ面に気密性を付与している。
【００２０】
又、本実施形態においては、前記第一チャンバ部材２内にホルダ設置台２３が備えられている。前記ホルダ設置台２３は、前記第一チャンバ部材２の下部に設けられたホルダ設置台昇降用シリンダ２４によって、上下方向に昇降可能となされている。又、前記ホルダ設置台２３の上面には、ワークホルダ２５が備えられている。
【００２１】
前記ワークホルダ２５は、本考案装置１によるワークＷへの絵付け作業時において、前記ワークＷを位置決めし、又、作業中に前記ワークＷが動かないように保持する役割を担うものである。
【００２２】
‐第二チャンバ部材３‐
前記第二チャンバ部材３は、下側に向かって開口する箱部材である。前記第二チャンバ部材３は、例えば、鉄やアルミニウムなどの金属材料や、炭素繊維強化プラスチックなどのプラスチック材料を素材として形成される。本実施形態において、前記第二チャンバ部材３は、第二チャンバ昇降装置３０によって、上下方向に昇降移動可能となされている。
【００２３】
前記第二チャンバ部材３には、前記第二チャンバ部材３の開口端面をなす第二フランジ３１が設けられている。図２（ａ）に示すように、前記第二フランジ３１は、中央部に開口部（以下、「第二開口部」と称する。）３２が設けられた平板状の部材である。
【００２４】
又、前記第二チャンバ部材３における前記第二チャンバ部材３の開口端面をなす側の面には、前記第二開口部３２の周囲に沿って凹溝が設けられており、この凹溝に環状のシール部材３３が挿入配置されている。
【００２５】
前記第二フランジ３１の四隅には、ネジ穴Ｔが設けられており、前記第二フランジ３１は、図示しないボルトを介して、前記第二チャンバ部材３に対して取り付けられ得る仕組みとなされている。即ち、前記第二フランジ３１は、前記第二チャンバ部材３に対して着脱自在となされている。
【００２６】
なお、本実施形態においては、前記第二チャンバ部材３と前記第二フランジ３１の合わせ面間にシールパッキンＰ２を介在させることによって、前記第二チャンバ部材３と前記第二フランジ３１との合わせ面に気密性を付与している。
【００２７】
又、本実施形態においては、前記第二チャンバ部材３内に熱盤３４が備えられている。前記熱盤３４は、図示しない制御ユニットによって温度制御可能となされている。
【００２８】
‐吸引装置４‐
本実施形態において、前記吸引装置４は、吸引ポンプ４１と、前記吸引ポンプ４１の吸引孔に接続された吸引通路４２と、前記吸引通路４２から分岐して前記第一チャンバ部材２内及び前記第二チャンバ部材３内に通じる分岐通路４３、４４と、各分岐通路４３、４４に配された吸引開閉弁４５、４６と、を具備する。又、前記吸引装置４は、前記分岐通路４３、４４を連絡するバイパス通路４７を更に具備してなり、前記バイパス通路４７には、バイパス開閉弁４８が備えられている。
【００２９】
‐蒸気供給装置５‐
本実施形態において、前記蒸気供給装置５は、加熱媒体としての蒸気を発生させる蒸気発生器５１と、前記蒸気発生器５１の吐出孔に一端が接続され、且つ、他端が前記第二チャンバ部材３内に通じられた蒸気通路５２と、前記蒸気通路５２に配された蒸気開閉弁５３と、を具備する。
【００３０】
前記蒸気供給装置５の蒸気通路５２の他端は前記熱盤３４内の空間に通じており、前記熱盤３４内に導入された蒸気は、前記熱盤３４の下面に設けられた複数の蒸気供給口から下側に向かって噴射される仕組みとなされている。
【００３１】
＜フィルムＦ＞
図３に、本実施形態において用いられるフィルムＦの一例を示す。前記フィルムＦは、ベースフィルムＦ１の片側面に、剥離層Ｆ２、絵柄層Ｆ３、及び接着層Ｆ４が順次積層された四層積層フィルム（転写フィルム）である。  
【００３２】
なお、前記フィルムＦとしては、剥離層Ｆ２を具備しない三層積層フィルムを用いても良い。又、前記フィルムＦとしては、ベースフィルムＦ１も具備しない二層積層フィルムを用いても良い。更に、前記フィルムＦとしては、絵柄層Ｆ３のみの単層フィルムを用いても良い。
【００３３】
＜本考案方法＞
図４〜図８に、前記本考案装置１によってワークＷに対して絵付けを施す各工程（作業室形成工程、吸引工程、及び、被覆工程）を示す。
【００３４】
なお、本実施形態においては、前記フィルムＦとして転写フィルムを用いており、従って、各工程の実行によって前記ワークＷの表面(露出面)に前記フィルムＦが被覆された後、前記ベースフィルムＦ１が剥がされ、最終的に、前記ワークＷには、前記絵柄層Ｆ３の模様に応じた絵付けが施される。
【００３５】
‐作業室形成工程（図４参照）‐
前記作業室形成工程では、前記第一チャンバ部材２の開口端と、前記第二チャンバ部材３の開口端とを突き合わせることによって閉じられた作業室Ｓを形成すると共に、前記第一チャンバ部材２と前記第二チャンバ部材３との間に前記フィルムＦを介在させることによって、前記作業室Ｓを前記第一チャンバ部材２側となる第一室Ｓ１と、前記第二チャンバ部材３側となる第二室Ｓ２との二つに仕切る。
【００３６】
前記作業室Ｓを形成するにあたっては、まず、図４（ａ）に示すように、ワークＷを前記ワークホルダ２５に保持させた後、前記第一フランジ２１の第一開口部２２を塞ぐようにして前記フィルムＦを配置する。この際、前記フィルムＦは、接着層Ｆ４側が前記第一チャンバ部材２内を臨むようにして配置される。
【００３７】
次いで、図４（ｂ）に示すように、前記第一チャンバ部材２に向かって前記第二チャンバ部材３を下降させることによって、前記第一フランジ２１と前記第二フランジ３１との間に前記フィルムＦを挟み、もって、前記フィルムＦによって、前記第一チャンバ部材２側となる第一室Ｓ１と前記第二チャンバ部材３側となる第二室Ｓ２との二つの部屋に仕切られた作業室Ｓを形成する。
【００３８】
‐吸引工程（図５参照）‐
前記吸引工程では、前記作業室Ｓに存する空気を吸引する。本実施形態においては、まず、前記吸引装置４における前記分岐通路４３、４４各々に配置された吸引開閉弁４５、４６、及び前記バイパス通路４７に配置されたバイパス開閉弁４８を開き、前記吸引ポンプ４１を作動させることによって、前記作業室Ｓに存する空気を吸引し、前記作業室Ｓを減圧した。
【００３９】
前記吸引工程実行時において、前記バイパス通路４７は、前記第一室Ｓ１と前記第二室Ｓ２との間に圧力差が生じることを抑制する役割を担う。そして、前記作業室Ｓが十分に減圧された後、前記分岐通路４４側に配された前記吸引開閉弁４６、及び前記バイパス開閉弁４８は閉じられる。一方、前記分岐通路４３側に配された吸引開閉弁４５は、開かれた状態のままとされる。
【００４０】
なお、前記吸引工程の実行時、本実施形態においては、前記熱盤３４から熱を供給することによって、前記フィルムＦを加熱し、軟化させている。
【００４１】
‐被覆工程（図６、図７参照）‐
前記被覆工程では、前記第二室Ｓ２の内圧を前記第一室Ｓ１の内圧に対して正圧にすることによって、前記第一チャンバ部材２内に配されたワークＷに前記フィルムＦを被覆する。
【００４２】
本実施形態においては、前記被覆工程を実行するにあたり、まず、図６に示すように、前記ホルダ設置台２３を上昇させることによって、前記ワークＷを前記フィルムＦと接触させた。次いで、図７に示すように、前記蒸気発生器５１を作動させ、前記蒸気通路５２に配置された蒸気開閉弁５３を開き、前記第二室Ｓ２に向かって蒸気を供給する。これにより、蒸気が供給された前記第二室Ｓ２と減圧状態にある前記第一室Ｓ１との間には圧力差が生じる。前記第二室Ｓ２の内圧が前記第一室Ｓ１の内圧に対して正圧になると、前記フィルムＦは、前記ワークＷの露出面に密着する。その後、前記ワークＷの露出面に密着した前記フィルムＦは、前記第二室Ｓ２に供給された蒸気の熱によって更に加熱されて、前記接着層Ｆ４が溶融する。これにより、前記フィルムＦが前記ワークＷの露出面に被覆される。
【００４３】
本考案装置１は、このような工程を経て前記ワークＷに対して絵付けを施す。そして、本考案装置１は、前記第一チャンバ部材２の開口端面をなす第一フランジ２１が前記第一チャンバ部材２に対して着脱自在となされており、且つ、前記第二チャンバ部材３の開口端面をなす第二フランジ３１が前記第二チャンバ部材３に対して着脱自在となされているから、前記ワークＷの嵩が大きい場合にあっては、図８に示すように、第一開口部２２の開口面積がより大きい第一フランジ２１と、第二開口部３２の開口面積がより大きい第二フランジ３１を用いて前記ワークＷに絵付けを施すことができる。
【００４４】
即ち、本考案装置１は、前記ワークＷの嵩に応じて、前記第一フランジ２１及び前記第二フランジ３１を交換することによって、前記第一チャンバ部材２及び前記第二チャンバ部材３の開口面積を選択することができる。これにより、フィルムＦの歩留まりを向上させることができる
【００４５】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００４６】
前記本考案装置は、ワークに絵付けを施すための絵付け装置として好適に用いられる。
【符号の説明】
【００４７】
１  本考案装置（絵付け装置）
２  第一チャンバ部材
２１  第一フランジ
３  第二チャンバ部材
３１  第二フランジ
４  吸引装置
５  蒸気供給装置
６  排出装置
Ｓ  作業室
Ｓ１  第一室
Ｓ２  第二室
Ｆ  フィルム
Ｗ  ワーク
【図１】
0003203881.tif 000003
【図２】
0003203881.tif 000004
【図３】
0003203881.tif 000005
【図４】
0003203881.tif 000006
【図５】
0003203881.tif 000007
【図６】
0003203881.tif 000008
【図７】
0003203881.tif 000009
【図８】
0003203881.tif 000010